(57)【要約】  切りくず除去加工のための機械加工ツールが、ツール本体（２）、並びに、ツールにおいて使用される電気エネルギーを取得するための発電機アセンブリであって、ツール本体に固定された少なくとも１つの第１の構成要素（５）、及び、第１の構成要素に対して移動させることによって、第１の構成要素との相互作用を通じて、第１の構成要素において電気エネルギーを生成するように、前記ツール本体に移動可能に連結された第２の構成要素（１０）を有する、発電機アセンブリを備える。発電機アセンブリは、第２の構成要素を第１の構成要素に対して移動させるために、第２の構成要素に当たり且つ作用するように、媒体の流れを導くための構成体を備える。【選択図】図５
2021516032.tif 000002
【特許請求の範囲】
【請求項１】
切りくず除去加工のための機械加工ツールであって、
ツール本体（２）、並びに
前記ツールにおいて使用される電気エネルギーを取得するための発電機アセンブリであって、前記ツール本体に固定された少なくとも１つの第１の構成要素（５）、及び、前記第１の構成要素に対して移動することによって、前記第１の構成要素との相互作用を通じて、前記第１の構成要素において電気エネルギーを生成するように、前記ツール本体に移動可能に連結された第２の構成要素（１０）を有する、発電機アセンブリを備え、
前記発電機アセンブリが、前記第１の構成要素に対して前記第２の構成要素（１０）を移動させるために、前記第２の構成要素に当り且つ作用するように、媒体の流れを導くように構成された構成体を備える、ことを特徴とする、機械加工ツール。
【請求項２】
前記構成体が、前記ツール本体（２）を通って延在し且つ前記第２の構成要素（１０）に向かって開口する少なくとも１つの第１の媒体流路（１６）を備える、ことを特徴とする、請求項１に記載の機械加工ツール。
【請求項３】
前記少なくとも１つの第１のチャネル（１６）が、前記ツール本体内の第２のチャネル（１５）に連結され、前記第２のチャネルは、冷却剤として使用されるような媒体の流れを、前記第２のチャネル（１５）から分岐させて前記第２の構成要素（１０）に当てるために、前記媒体を前記切りくず除去加工のためのツール部分に導くように設計されている、ことを特徴とする、請求項２に記載の機械加工ツール。
【請求項４】
前記第２の構成要素（１０）が、前記ツール本体の部分（１２）を取り囲む円形リング（１１）を備え、前記リングがこれらのツール本体部分の周りで回転することによって移動するように、前記媒体を前記リングに当たるよう導くべく、前記構成体が構成されている、ことを特徴とする、請求項１から３のいずれか一項に記載の機械加工ツール。
【請求項５】
前記少なくとも１つの第１のチャネル（１６）が、前記リング（１１）の内壁（２１）に対して９０度とは異なる、前記リングの形状に対して径方向というよりも接線方向のような角度で、前記リングの内壁に当たるよう媒体の流れを向けるように終端し、前記角度が、１度から８０度、１度から６０度、又は１度から３０度である、ことを特徴とする、請求項４に記載の機械加工ツール。
【請求項６】
前記リング（１１）は、前記リングを回転させるように前記媒体の流れが当たり且つ前記媒体の流れに対する抵抗を生成するように設計された凹凸のある輪郭を有する内壁（２１）を有する、ことを特徴とする、請求項４又は５に記載の機械加工ツール。
【請求項７】
前記リング（１１）の前記内壁（２１）の前記輪郭が、前記リングの前記内壁の周りに配置された複数のポケット状凹部（１８）を備える、ことを特徴とする、請求項６に記載の機械加工ツール。
【請求項８】
前記リング（１１）には、偶数のポケット状凹部（１８）が設けられている、ことを特徴とする、請求項７に記載の機械加工ツール。
【請求項９】
前記第２の構成要素（１０）が、少なくとも１つの磁石（１４）を備え、前記第１の構成要素（５）が、前記磁石（１４）を通過するときに前記磁石と相互作用しながら前記第１の構成要素（５）において電気エネルギーを生成する第１の部材（８）を備える、ことを特徴とする、請求項１から８のいずれか一項に記載の機械加工ツール。
【請求項１０】
前記第１の構成要素（５）が、前記ツール本体（２）に固定された一端（７）を有するカンチレバー（６）を備え、前記第１の部材（８）が、磁性体であり、前記カンチレバーに配置されて、前記第２の構成要素（１０）の前記少なくとも１つの磁石（１４）との相互作用によって前記カンチレバーを撓ませ且つ振動させ、前記第１の構成要素が、前記カンチレバー（６）に固定され且つ電気エネルギーを生成するために前記カンチレバーと共に撓み且つ振動する圧電材料の第２の部材（９）を備える、ことを特徴とする、請求項９に記載の機械加工ツール。
【請求項１１】
前記第１の部材が、前記第２の構成要素の前記少なくとも１つの磁石を通過したときに、電磁気誘導によって内部に電気エネルギーを生成するような導体の巻線である、ことを特徴とする、請求項９に記載の機械加工ツール。
【請求項１２】
前記第２の構成要素（１０）には、前記第１の構成要素（５）の前記第１の部材（８）を連続的に通過させて、前記第１の構成要素において電気エネルギーを生成するために、前記第２の構成要素の延長部に沿って分配された複数の磁石（１４）が設けられている、ことを特徴とする、請求項９から１１のいずれか一項に記載の機械加工ツール。
【請求項１３】
前記第２の構成要素（１０）には、偶数の磁石（１４）が設けられている、ことを特徴とする、請求項１２に記載の機械加工ツール。
【請求項１４】
前記第２の構成要素（１０）の前記磁石（１４）が、前記第２の構成要素の前記延長部に沿って１つおきのＮ極及び１つおきのＳ極などの、前記第１の部材（８）の通過の際に前記第１の部材に最も近くなるように配置された異なる極を有する、ことを特徴とする、請求項１２又は１３に記載の機械加工ツール。
【請求項１５】
複数の第１の構成要素（５）において電気エネルギーを生成するために、前記第２の構成要素（１０）と相互作用するように、前記第２の構成要素の移動経路に沿って相互に距離を保って前記ツール本体（２）に固定された、これらの第１の構成要素（５）を備える、ことを特徴とする、請求項１から１４のいずれか一項に記載の機械加工ツール。
【請求項１６】
少なくとも１つの第１の構成要素（５）の前記カンチレバー（６）が、別の第１の構成要素（５）の前記カンチレバー（６）とは異なる共振周波数を有し、前記別の第１の構成要素のカンチレバーに対して前記第２の構成要素（１０）の異なる速度で最大限に振動する、ことを特徴とする、請求項１０又は１５に記載の機械加工ツール。
【請求項１７】
前記円形リング（１１）が、各少なくとも１つの磁石（１４）に対して、軸方向に開口する凹部（１３）であって、前記第２の構成要素（１０）が前記第１の構成要素（５）に対して移動しているときに、前記第１の構成要素の前記第１の部材（８）に向けられるように到達する凹部を備える、ことを特徴とする、請求項９及び請求項４から７のいずれか一項に記載の機械加工ツール。
【請求項１８】
前記リング（１１）が、真鍮、アルミニウム、又はステンレス鋼などの、非磁性材料から作製されている、ことを特徴とする、請求項４から７及び請求項１７のいずれか一項に記載の機械加工ツール。
【請求項１９】
切りくず除去加工のための機械加工ツールにおいて使用される電気エネルギーを取得するための方法であって、前記機械加工ツールが、ツール本体（２）、並びに、前記ツールにおいて使用される電気エネルギーを取得するための発電機アセンブリであって、前記ツール本体に固定された少なくとも１つの第１の構成要素（５）、及び前記ツール本体に移動可能に連結された第２の構成要素（１０）を有する、発電機アセンブリを備え、前記方法が、前記第１の構成要素との相互作用によって、前記第１の構成要素において電気エネルギーを生成するために、前記第２の構成要素を前記第１の構成要素に対して移動させるステップを含み、
前記第２の構成要素を移動させるステップが、媒体の流れを前記第２の構成要素（１０）に当たるように導くことを含む、ことを特徴とする、方法。
【請求項２０】
前記第２の構成要素を前記第１の構成要素に対して移動させるために、冷却剤として使用される及び／又は前記切りくず除去加工において生成された切りくずを除去するための媒体が、前記第２の構成要素に当たり且つ作用するように導かれる、ことを特徴とする、請求項１９に記載の方法。
【発明の詳細な説明】
【技術分野】
【０００１】
本発明は、請求項１の前文に記載の切りくず除去加工のための機械加工ツール、並びに、添付の独立方法請求項の前文に記載の電気エネルギーを取得するための方法に関する。
【０００２】
本発明は、任意の特定の種類の機械加工のための機械加工ツールに限定されるものではなく、例えば、ツール本体は、旋削、ミリング、掘削、又はボーリングによる加工対象物の切りくず除去加工のための切削インサートの形態を採る固定された切れ刃を備えた部材を有してよい。したがって、回転と非回転の両方の機械加工ツールが含まれる。一体化された切れ刃を有するツールも可能である。また、本発明は、かかる機械加工ツールのいかなるサイズにも限定されない。雄型及び雌型のモジュール式インターフェースを担持するいわゆる延長部もまた、本発明によって包含されると考えられるべきである。
【０００３】
機械加工ツール内に電気エネルギーを取得するための発電機アセンブリが存在する理由は、これにより、周囲に無線接続された異なる種類のセンサのようなモニタリング電子機器を内蔵する機械加工ツールの提供が可能になるからである。第１の構成要素に対する発電機アセンブリの第２の構成要素の移動によって生成される電気エネルギーは、キャパシタ、電気バッテリ、又は他の適切なエネルギー蓄積部材に蓄積されるか、又はセンサなどのツール内で電気の使い手に直接的に供給され得る。
【０００４】
電気エネルギーを生成するための第２の構成要素と第１の構成要素の相互作用は、例えば、磁石と内部に電流を生成する導体の巻線との相対移動によって、又は部材を撓ませ且つ振動させることによって電気エネルギーを生成するための圧電材料のかかる部材が設けられたカンチレバーに接続された別の磁石に対する磁石の移動によって行われてもよい。
【背景技術】
【０００５】
導入部で定義された種類の機械加工ツールは、国際公開第2014/195054A1号を通じて知られている。この既知の機械加工ツールの発電機アセンブリ内の第２の構成要素は、ツール本体上に回転可能にジャーナルされ、ツール本体に対して及びそれによって慣性エネルギーによってツール本体に固定された第１の構成要素に対して、主にツール本体の回転を加速及び遅延させるときなどに、移動するようにされている。これは、ツール本体が、その機械加工ツールの発電機アセンブリによる電気エネルギーの生成を得るために回転しなければならないことを意味する。
【発明の概要】
【０００６】
本発明の目的は、既に知られているそのような機械加工ツールに関して少なくとも幾つかの面で改良された、導入部で定義された種類の機械加工ツールを提供することである。
【０００７】
この目的は、かかる機械加工ツールに、添付の請求項１の特徴付け部に存在する特徴を提供することによって得られる発明によるものである。したがって、機械加工ツールの発電機アセンブリに、第２の構成要素を第１の構成要素に対して移動させるために、第２の構成要素に当たり且つ作用させるように、媒体の流れを導くように構成された構成体を提供することによって、電気エネルギーが、機械加工ツールのツール本体の移動のいかなる要求もなしに、機械加工ツールの発電機アセンブリによって取得され得る。これは、旋削に使用されるような非回転機械加工ツールにおいてもセンサを無線で提供することを可能にするために、電気エネルギーが効率的に取得され得ることを意味する。更に、ツール本体運動の加速及び停止によって生じる急激な変動なしに、機械加工ツールの発電機アセンブリによって電気エネルギーの制御された生成を得ることが可能となり、機械加工ツールのセンサが属する電気システムの部材の応力を低減させる。
【０００８】
本発明の一実施形態によれば、構成体は、ツール本体を通って延在し且つ第２の構成要素に向かって開口する少なくとも１つの第１の媒体流路を備える。ツール本体の内側のそのようなチャネル内で、第１の構成要素に対する第２の構成要素の移動を得るために使用される媒体の流れを、第２の構成要素に向けて導くことが適切である。
【０００９】
本発明の一実施形態によれば、少なくとも１つの第１のチャネルが、ツール本体内の第２のチャネルに連結され、第２のチャネルは、冷却剤として使用されるような媒体の流れを、第２のチャネルから分岐させて第２の構成要素に当てるために、かかる媒体を切りくず除去加工のためのツール部分に導くように設計されている。第１の構成要素において電気エネルギーを生成するべく、第１の構成要素に対する第２の構成要素の相対的な移動を得るために、冷却剤として使用される及び／又は切りくず除去加工によって生成された切りくずを除去するための媒体を使用することによって、もはや第２の構成要素の移動のために使用される媒体の流れを生成するための追加の手段を設ける必要はない。
【００１０】
本発明の一実施形態によれば、第２の構成要素は、ツール本体の部分を取り囲む円形リングを備え、このリングがこれらのツール本体部分の周りで回転することによって移動するように、媒体をリングに当たるよう導くべく、この構成体が構成され、本実施形態の更なる開発によれば、リングは、媒体の流れが当たり且つ媒体の流れに対する抵抗を生成するように設計された凹凸のある輪郭を有する内壁を有し、それによりリングを回転させる。リングの内壁のこのような輪郭は、ツール本体の周りでのリングの効率的な「押し」をもたらすことになる。この場合、リングの内壁の輪郭は、リングの内壁の周りに配置された複数のポケット状凹部を有利に備え、本発明の別の一実施形態によれば、リングには、偶数のポケット状凹部が設けられる。かかる凹部が偶数であることによって、リングの内部周囲の周りの凹部の対称的な構成体が可能となり、これは、媒体がリングに当たることによって開始される対称な遇力を加える。これにより、リングの回転移動の所望の振れが保証される。また、リングとツール本体の接続部に軸受けを使用することによっても、良好な品質の振れを生成することができる。
【００１１】
本発明の一実施形態によれば、少なくとも１つの第１のチャネルは、リングの内壁に対して９０度とは異なる、リングの形状に対して径方向というよりも接線方向のような角度で、リングの内壁に当たるよう媒体の流れを向けるように終端する。この角度は、１度〜８０度、１度〜６０度、又は１度〜３０度である。リングの内壁への媒体の流れのこのような方向は、リングをツール本体に対して移動させるのに好適である。
【００１２】
本発明の一実施形態によれば、第２の構成要素は、少なくとも１つの磁石を備え、第１の構成要素は、磁石を通過するときに磁石と相互作用しながら第１の構成要素において電気エネルギーを生成する、第１の部材を備える。
【００１３】
本発明の一実施形態によれば、次いで、第１の構成要素は、ツール本体に固定された一端を有するカンチレバーを備えてよく、第１の部材は、磁性体であり、カンチレバーに配置されて、第２の構成要素の少なくとも１つの磁石との相互作用によってカンチレバーを撓ませ且つ振動させ、第１の構成要素は、カンチレバーに固定され且つ電気エネルギーを生成するためにカンチレバーと共に撓み且つ振動する圧電材料の第２の部材を備える。第２の構成要素の少なくとも１つの磁石の極の向きに応じて、この少なくとも１つの磁石は、圧電材料の第２の部材において電気エネルギーを生成するべく、カンチレバーを撓ませ且つ振動させるために、第１の部材を通過するときに、第１の部材を引き寄せるか又は反発させる。
【００１４】
本発明の一実施形態によれば、第１の構成要素において電気エネルギーを生成するための別の選択肢は、第２の構成要素の少なくとも１つの磁石によって通過されたときに、電磁誘導によって内部に電気エネルギーを生成するように、導体の巻き線の形態を採る第１の部材を有することである。
【００１５】
本発明の一実施形態によれば、第２の構成要素には、第１の構成要素の第１の部材を連続的に通過して、第１の構成要素において電気エネルギーを生成させるために、第２の構成要素の延長部に沿って分配された複数の磁石が設けられている。第２の構成要素に複数の磁石を設けることにより、第１の構成要素における電力エネルギーの効率的な生成が可能となる。この場合、第２の構成要素に偶数個の磁石を設けることが好適である。また、本発明の別の一実施形態によれば、第２の構成要素の磁石は、第２の構成要素の延長部に沿って１つおきのＮ極及び１つおきのＳ極などの、第１の部材の通過の際に第１の部材に最も近くなるように配置された異なる極を有する。このような極の切り替えによって、電気エネルギーの生成がまた更に効率的になる。
【００１６】
本発明の一実施形態によれば、機械加工ツールは、複数の第１の構成要素において電気エネルギーを生成するために、第２の構成要素と相互作用するように、第２の構成要素の移動経路に沿って相互に距離を保ってツール本体に固定された、これらの第１の構成要素を備える。機械加工ツールの発電機アセンブリによる電気エネルギーの生成は、複数の第１の構成要素を有することによって増加されてよい。
【００１７】
最後に述べられる実施形態の更なる開発によれば、少なくとも１つの第１の構成要素のカンチレバーは、別の第１の構成要素のカンチレバーとは異なる共振周波数を有し、別の第１の構成要素のカンチレバーに対して第２の構成要素の異なる速度で最大限に振動する。これは、発電機アセンブリにおける電気エネルギーの生成が、１つの第１の構成要素のみが存在し得るか又は全ての第１の構成要素が同一であるよりも、ツール本体に対する、それによって、第１の構成要素に対する第２の構成要素の速度にあまり依存しないことを意味する。
【００１８】
本発明の一実施形態によれば、円形リングは、各少なくとも１つの磁石に対して、軸方向に開口する凹部であって、第２の構成要素が第１の構成要素に対して移動しているときに、第１の構成要素の第１の部材に向けられるように到達する凹部を備える。本発明の別の一実施形態によれば、リングは、黄銅、アルミニウム、又はステンレス鋼などの、非磁性材料から作製される。
【００１９】
本発明の目的は、第２の構成要素を第１の構成要素に対して移動させるために、媒体の流れを第２の構成要素に当たるように導くステップを方法に提供することによって得られる、電気エネルギーを取得するための方法に関する。第２の構成要素を第１の構成要素に対して移動させるために、冷却剤として使用される及び／又は切りくず除去加工によって生成された切りくずを除去するための媒体を、第２の構成要素に当たり且つ作用させるように導くという、かかる方法及びその実施形態の利点は、本発明による機械加工ツールの上述の説明から明らかである。
【００２０】
本発明のその他の有利な特徴及び利点が、後述の説明から明らかになる。
【００２１】
添付の図面を参照して、実施例として挙げられる本発明の実施形態の具体的な説明を以下に示す。
【図面の簡単な説明】
【００２２】
【図１】図１及び図１ａは、それぞれ、本発明の第１の実施形態による機械加工ツールの斜視図及び分解図である。
【図１ａ】図１及び図１ａは、それぞれ、本発明の第１の実施形態による機械加工ツールの斜視図及び分解図である。
【図２】組み立てられた状態の図１の機械加工ツールのII‐IIによる断面図である。
【図３】図１によるツールの図１のIII‐IIIによる断面図である。
【図４】図１による機械加工ツールのIV‐IVによる断面図である。
【図５】図１による機械加工ツールの断面の一部分の拡大図である。
【図６】図６及び図６ａは、本発明の第２の実施形態による機械加工ツールの、それぞれ、図１と図１ａに対応する図である。
【図６ａ】図６及び図６ａは、本発明の第２の実施形態による機械加工ツールの、それぞれ、図１と図１ａに対応する図である。
【図７】図７及び図７ａは、本発明の第３の実施形態による機械加工ツールの、それぞれ、図１と図１ａに対応する図である。
【図７ａ】図７及び図７ａは、本発明の第３の実施形態による機械加工ツールの、それぞれ、図１と図１ａに対応する図である。
【発明を実施するための形態】
【００２３】
図１及び図１ａは、本発明の第１の実施形態による機械加工ツール１の構造を概略的に示している。ここで、図１〜図５を参照しながら、このツールの特徴を説明する。機械加工ツールは、チャック３を備えたツール本体２を有し、切れ刃を備えた部材が、旋削、ミリング、又はボーリングなどのあらゆる種類の機械加工用に固定されるツール保持部材４が、ツール本体に固定されている。
【００２４】
機械加工ツールは、図面で示されてないツールの内蔵型モニタリング電子機器において使用される電気エネルギーを取得するための発電機アセンブリを有する。この発電機アセンブリは、ツール本体２に固定された１つの第１の構成要素５を有する。この第１の構成要素は、ツール本体の周縁に固定された一端７を有し且つツール本体の中心軸Ｃに対して垂直に延在するカンチレバー6を備える。磁石８の形態を採る第１の部材が、カンチレバーの自由端の近くに配置されている。圧電材料のプレート９の形態を採る第２の部材が、カンチレバーが撓んだら撓むように、カンチレバーに固定されている。第１の構成要素は、カバー２２によって保護されている。
【００２５】
発生機アセンブリは、ツール本体２に移動可能に連結された第２の構成要素１０を有し、第２の構成要素は、ツール本体の周りで回転することができる。この第２の構成要素は、ツール本体の部分１２を取り囲む非磁性材料の円形リング１１を備える。リングには、軸方向に開口する複数の凹部１３が設けられ、それぞれに磁石１４が設けられている（特に図５参照）。
【００２６】
ツール本体２は、冷却剤として使用される及び／又は切りくず除去加工によって生成された切りくずを除去するための媒体を導くために、ツール保持部材４の端部に向かってツール本体の中心軸Ｃに沿って延在する第２のチャネル１５を有する。２つの第１のチャネル１６が、ツールホルダの内側の第２のチャネル１５に連結して、ツールの中心軸Ｃと垂直に媒体の流れを分岐させ、リング１１の内壁２１に向かって開口してる。図３には、これらの２つの第１のチャネル１６が、プラグ２３を備えた端部を有し、その前に、枝路１７が、リングの内壁２１に対して略接線方向にあるような９０度より小さい角度を作りながら、リングに至る様子が示されている。リングの内壁は、チャネル枝路１７を通って内壁に当たる媒体の流れに対する抵抗を生成するように設計された輪郭を有する。このために、内壁の輪郭は、空間の内壁の周りに配置された複数のポケット状凹部１８を有する。したがって、媒体の流れがリングの内壁に当たると、これは、図３に見られるように、リングを反時計方向に回転させることになる。冷却剤として使用され及び／又は切りくず除去加工によって生成された切りくずを除去するために、媒体の流れが、２つのチャネル１９、２０を通ってツール本体を通過し続けることになる。
【００２７】
本発明のこの実施形態による機械加工ツールにおいて使用される電気エネルギーは、以下の方法で、機械加工ツールの発電機アセンブリによって取得されることになる。ツールの切りくず除去加工のための気体又は液体の媒体の流れは、第１のチャネル１６及びその枝路１７を通して導かれ、リング１１の内壁２１に当たり、ポケット状凹部１８において抵抗を受け、それによって、リング１１をツール本体２の周りで回転させる。リング１１の磁石１４は、カンチレバー６の磁石８を通過するときに、磁石８と相互作用して、その磁石を引き付けるか又は反発させて、その結果、カンチレバーは撓み且つ振動することとなる。次いで、カンチレバー６に固定された圧電材料の部材９も撓み且つ振動し、その圧電特性によって電流を生成し、この電流は、電気エネルギー蓄積手段に導かれるか、又はこのエネルギーを消費するセンサなどの装備に直接導かれることになる。
【００２８】
図６は、第１の実施形態と同じ原理による電気エネルギーの取得に関して機能する、本発明の第２の実施形態による機械加工ツールを概略的に示している。この実施形態は、リング１１内に受け入れられる１つだけの磁石１４を有することによって、且つ、図５で示されている種類の４つの第１の構成要素５を有することによって、第１の実施形態とは異なり、少なくとも１つの第１の構成要素のカンチレバーが、好適には、別の第１の構成要素のカンチレバーとは異なる共振周波数を有し、別の第１の構成要素のカンチレバーに対して第２の構成要素（磁石１４を有するリング１１）の異なる速度で最大限に振動する。また、リング１１の内壁は、この実施形態では、凹部のない滑らかな輪郭を有することも示されている。リングの内壁に当たるように導かれる強度及び方向に関して適正な媒体の流れによって、ツール本体の周りのリング１１の回転を得ることは依然として可能であろう。
【００２９】
本発明の第３の実施形態では、ツール本体２とツール保持部材４が、ツールのインサートの切れ刃に加えられる高い力に対するツールの抵抗を改善するために１つのピースに一体化されており、次いで、第２の構成要素は、図６ａで示されているように、２つの半分のリング２４、２５などの２以上の円弧状のピースを備えてよく、ねじ接続部２６、２７などの適切な接続によってリングを共同で形成する。この実施形態は、図７及び図７ａで示されている。
【００３０】
本発明は、無論、上述の実施形態に限定されるものではなく、むしろ、添付の特許請求の範囲で規定される本発明の範囲から逸脱することなしに、その修正に対する多くの可能性が当業者には明らかであろう。
【００３１】
この構成体は、リングの内壁に向かって開口する１つ又は３つ以上の第１のチャネルを有してもよい。
【００３２】
第２の構成要素は、ツール本体の周りを回転するのではなく、ツール本体の周囲に沿って２つの最端の位置の間を往復移動するように、媒体の流れから影響を受けてもよい。
【００３３】
また、第２の構成要素のリングは、磁極領域（pole area）を有する磁性材料から作製することもできる。
【図１】
2021516032.tif 000003
【図１ａ】
2021516032.tif 000004
【図２】
2021516032.tif 000005
【図３】
2021516032.tif 000006
【図４】
2021516032.tif 000007
【図５】
2021516032.tif 000008
【図６】
2021516032.tif 000009
【図６ａ】
2021516032.tif 000010
【図７】
2021516032.tif 000011
【図７ａ】
2021516032.tif 000012
【国際調査報告】
2021516032.tif 000013
2021516032.tif 000014